(57)【要約】      （修正有）【課題】宣伝ビラ、ＰＯＰ類、ポスターに室内外の装飾に利用し又屋外のポスター張りにでも又、風雨にさらされても一切剥がれることのない協力に張る接着力の確保ができることと又使用済みのポスターなどの回収も簡単に出来又一切の接着剤など使用しないために汚れがない綺麗な掲示用看板の提供と装着方法を提供する。【解決手段】カートリッジに収納した二穴チップ付きステープルを打設機ハンドル２を握り始めることにより突出口にセットし、更に深くハンドルを握ることにより二穴チップを切り離してポスターに装着貼り付ける方法であり、二穴チップの表面積の大きさとステープルの二本の針の打設機能効果で完全で強力な装置張り付けができる。又、二穴チップ除去後でも汚れは一切残らない。【選択図】図１
2006272493.tif 000002
【特許請求の範囲】
【請求項１】
カートリッチに収納した数百枚単位で帯状に綴り連結した二穴チップ付ステープルの針数の同数を装着する連続打設機構の二穴チップとステープル打設機兼用チップ供給装置でポスター等を掲示用看板に張る時はその位置に打設機を密着させハンドルを握り始めると補助ハンドルが駒送りレバーでラチット歯車を１枚送るラチット歯車と一体固定した駒送り車が二穴チップを１枚ずつ送り出す突出口に二穴チップがセットされる又ハンドルを深く最後まで握るとステープルが発射される又ステープルの２本の針が二穴チップの穴を一瞬に貫通し又反動で二穴チップを切り離しポスターに二穴チップ付ステープルを装着張り付ける方法又二穴チップを送りレバー装置を要する方法も可能である。
【請求項２】
請求項１記載の二穴チップ付きステープルがポスターに打設された二穴チップの表面積の大きさでポスターを押さえステープルの２本の針で抜けにくい打設機能効果で完全に強力な二穴チップ接着の張り付け方法と又チップの駒送り車装置の他にチップ送りレバーの使用も可能な装置とする。
【請求項３】
請求項１記載のカートリッチに収納した数百枚単位で帯状に綴り連結した二穴チップの他に横並び二穴チップとか一枚ずつ重ねる供給方法とかステープルの２本の針が刺さるチップの部分に米印の切れ目を入れステープルの針が刺さり易く施工する又穴のないチップもあるチップ形状も楕円形に丸型にひし形に角型に長方形に星型に木の葉に動物の形状に又使用材料も厚紙に透明なプラスチック又は合成樹脂製で又薄い金属のアルミ等の二穴チップも出来る多色色彩を利用でき又連結方法で簡単に切り離せる加工を施す。
【発明の詳細な説明】
【技術分野】
【０００１】
この発明の連続打設機構の二穴チップとステープル打設機兼用チップ供給装置は、木工作業に室内装飾に宣伝ビラ、ＰＯＰ類、ポスター等を簡単に張る装置に関するものである。
【背景技術】
【０００２】
汎用性の高い打設機でステープルを利用し木工作業に学校の工作教材に店頭のディスプレイ、ＰＯＰ類の装飾に又宣伝ビラ、ポスター張りに利用されているが多少の力が掛かると一本形状のステープルを残し身切れし剥がれてしまう不都合があった。又画鋲などでも同様であり屋外の看板等にポスターを張っても多少の風で吹き飛ぶ弱点があった。そこで従来まではポスターなどを張る手段としてステープルの針又は画鋲の類しかなかったためにガムテープとかセロハンテープ又両面テープが利用されてきた。全国の市町村、県議等の地方選挙又は四年に一度の全国統一選挙で利用される選挙人物ポスターを張る選挙用掲示用看板は厚板ベニヤ板を利用全国で一斉に膨大な枚数が使われる。各選挙事務所では選挙人物ポスターの裏側に多くの両面テープを張り指定日場所看板に一斉に張られる。又両面テープで張られたポスターは風雨にさらされても簡単には剥がれない。一定期間で選挙は終了し用済みポスターの回収が始まる。ポスターと看板との間で強力な合成接着剤の粘着力で剥がす時にはポスターが身裂し残紙を砂塵などが粘着部分に付着汚れとなり残る看板の厚板ベニヤの再利用は不可能状態で数週間の一度の利用で膨大な森林資源が廃棄処分されている。そこで看板に一切の両面テープを使用して張ることなく看板を再利用出来る方法として両面テープ以上の接着で張る装置の提供である。
【発明の開示】
【発明が解決しようとする課題】
【０００３】
本発明は前記従来の宣伝ビラ、ＰＯＰ類、ポスター又装飾などにステープル又は画鋲を利用していた。屋外の看板に宣伝ビラ、ポスターをステープル又は画鋲で張っても多少の風で剥がれる弱点がありそれを補う方法で強力接着剤使用の両面テープを利用している。風雨にさらされても剥がれることはない。ところが用済みのポスターなどを回収する時には強力な接着剤の粘着力が日光などで劣化し簡単には除去できず又接着面に多くの砂塵などが付着し汚れ除去不能で看板再利用が難しい状態になっていた課題を解決する方法である。
【０００４】
そこで本発明は従来同様に宣伝ビラ、ＰＯＰ類、ポスターに室内外の装飾に利用し又屋外のポスター張りにでも又、風雨にさらされても一切剥がれることのない協力に張る接着力の確保ができることと又使用済みのポスターなどの回収も簡単に出来又一切の接着剤など使用しないために汚れがない綺麗な掲示用看板の提供と装着方法の提案である。
【課題を解決するための手段】
【０００５】
上記の目的を解決するために本発明の連続打設機構の二穴チップとステープル打設機兼用チップ供給装置は二穴チップの上部からステープルの針が貫通し一瞬にして接着し張る方法である。二穴チップは透明なプラスチック製、合成樹脂製と及ぶが屋外で使用するときに雨水などに強い二穴チップが必要である。カートリッチに収納する数百枚単位で帯状の綴りに連結した二穴チップはステープル打設機兼用チップ供給装置で二穴チップは駒送り装置で一枚ずつ送り突出口で上からステープルの針が発射されるとステープルの二本の針が二穴チップを貫通すると同時に二穴チップを切り離しステープルが二穴チップを一瞬にしてポスターなどを張り付ける。この二穴チップで張られた接着面は二穴チップの表面積の大きさでポスター表面を押さえることとステープルの二本の針の打設機能効果も鑑み、完全で強力な接着貼り付け方法である。又使用済みの宣伝ビラ、ＰＯＰ類、ポスターを除去した場合でも一切の汚れは残らず綺麗な掲示用看板の状態である。又看板などに残るのはステープルの極少の針穴だけである。又透明な二穴チップを使用することでポスターなどの絵柄又写真なども透き通り違和感がなく使用できる。接着剤など一切の使用がないために室内、店内の壁に直接打設が可能で連続打設機構の二穴チップとステープル打設機兼用チップ供給装置の提供にある。
【発明の効果】
【０００６】
本発明の連続打設機構の二穴チップとステープル打設機兼用チップ供給装置でポスターを掲示用看板に張る場合、その場所に打設機兼用チップ供給装置をセットする打設機のハンドルを握りステープルが発射されるとステープルの２本の針が二穴チップを貫通すると同時に反動で二穴チップを切り離しステープルが二穴チップで一瞬にしてポスターを貼り付ける。ポスターの角目数ヶ所を張るだけで二穴チップの表面積の大きさでポスターを押さえ、ステープルの２本の針の打設機能効果を鑑み完全で強力な装着貼り付け方法と又ポスターを除去した後でも汚れは一切残らない。又透明な二穴チップを使用するとポスターの絵柄又写真などでも透き通り違和感がなく利用でき又風雨にさらされても多少の風でも吹き飛ばされることはない。接着剤など一切使用しないために室内、店内の壁に直接使用できる。
【発明を実施するための最良の形態】
【０００７】
以下、連続打設可能な本発明の二穴チップとステープル打設機兼用チップ供給装置の実施例に基づいて説明する。図１、図２、図３、の１．の打設機の２．のハンドルと３．のステープルの針を押す４．のプッシャで５．の補助ハンドルである。打設機と兼用に６．のチップ供給装置を装着する。図５の８．の駒送りレバーと９．の帰正コイルバネを取り付ける。１０．のラチット歯車と１１．の駒送り車は一体固定してある。送りレバーでラチット歯車を１枚ずつ送る方法でラチット歯車と固定した駒送り車が同調し、一駒ずつ回る。又ラチット歯車に１２．の逆転止めを装着する。１９．の蓋の開閉で図４、図６の１４．のカートリッチに収納した数百枚単位で帯状に綴り連結した１５．の二穴チップを駒送り車の下に装着する。二穴チップを連結収納したカートリッチは７．の収納ケース内に納め蓋を閉じ、二穴チップ連結のカートリッチの簡単装置が完了する二穴チップとステープル打設機兼用チップ供給装置の使用手順はポスターなどを張る場合に本装置を張る位置に密着させ打設機のハンドルを握る。同時に補助ハンドルが駒送りレバーを上から押し込む状態になり送りレバーでラチット歯車を１枚送るラチット歯車と一体固定した駒送り車が二穴チップを１枚送り出すと１６．の突出口に二穴チップがセットされると同時にハンドルを深く最後まで握るとステープルが発射される。ステープルの２本の針が二穴チップを一瞬に貫通しその反動で二穴チップを切り離しポスターに二穴チップ付きステープルが打設される。二穴チップの表面積の大きさでポスターを押さえステープルの２本の針の打設機能効果で完全に強力に接着する張り付け方法でポスターの数ヶ所を二穴チップ付きステープルで張る屋外のポスターは多少の風雨でも吹き飛ばされることはない。又使用後のポスターの回収除去でも汚れは一切残らない。又ステープルの針の補充には１３．の留金ロックを外し打設機を上にあげプッシャーを引きステープルを補充する方法。又図７の１７．の横並び二穴チップと図８の１８．の米印切込付きチップは左右二ヶ所の米印部分に切れ目を入れた米印付きチップである。
【図面の簡単な説明】
【０００８】
【図１】二穴チップとステープル打設機兼用チップ供給装置の正面図
【図２】二穴チップとステープル打設機兼用チップ供給装置の留金ロックを外し打設機を上にしたところを示す正面図
【図３】ハンドルが下がった状態の二穴チップとステープル打設機兼用チップ供給装置の正面図及び断面図
【図４】チップ供給装置の底面図及び断面図
【図５】ラチット歯車と駒送り車と送りレバーと逆転止めを示す斜面図
【図６】カートリッチを帯状に綴り連結した二穴チップの斜面図
【図７】横並び二穴チップの平面図
【図８】米印付きチップの平面図
【符号の説明】
【０００９】
１．打設機
２．ハンドル
３．ステープルの針
４．プッシャ
５．補助ハンドル
６．チップ供給装置
７．収納ケース
８．駒送りレバー
９．帰正コイルバネ
10．ラチット歯車
11．駒送り車
12．逆転止め
13．留金ロック
14．カートリッチ
15．二穴チップ
16．突出口
17．横並び二穴チップ
18．米印チップ
19．蓋
【図１】
2006272493.tif 000003
【図２】
2006272493.tif 000004
【図３】
2006272493.tif 000005
【図４】
2006272493.tif 000006
【図５】
2006272493.tif 000007
【図６】
2006272493.tif 000008
【図７】
2006272493.tif 000009
【図８】
2006272493.tif 000010